(57)【要約】【課題】  複数患者の最新のアラーム情報の確認並びに重要なアラームの発生の確認を、見落とすことなく迅速かつ確実に行うことができるようにした、複数患者のアラーム情報表示方法および装置を提供する。【解決手段】  複数の患者の生体情報を収集し、収集された生体情報からその異常状態を検知して得られるアラーム情報を、順次リアルタイムで記憶保持し、この記憶保持されたアラーム情報を、患者名に関わりなくリアルタイムで時系列的に表示する。【選択図】  図１
2006180979.tif 000002
【特許請求の範囲】
【請求項１】
患者名を含むアラーム情報を表示する方法であって、
複数の患者の生体情報を収集し、収集された生体情報からその異常状態を検知して得られるアラーム情報を、順次リアルタイムで記憶保持し、
この記憶保持されたアラーム情報を、患者名に関わりなくリアルタイムで時系列的に表示することを特徴とする複数患者のアラーム情報表示方法。
【請求項２】
さらに、前記アラーム情報に対応する生体情報を順次リアルタイムで記憶保持し、前記アラーム情報の表示において、前記表示されるアラーム情報に加えて、それに対応する前記記憶保持されている生体情報も表示することを特徴とする請求項１記載の複数患者のアラーム情報表示方法。
【請求項３】
前記アラーム情報の表示において、患者名を選択し、この選択された患者名のアラーム情報のみを表示することを特徴とする請求項１または２記載の複数患者のアラーム情報表示方法。
【請求項４】
前記記憶保持されているアラーム情報は、そのプライオリティ（重要度）の情報を含み、
前記アラーム情報の表示において、前記プライオリティを選択し、この選択されたプライオリティのアラーム情報のみを表示することを特徴とする請求項１ないし３のいずれかに記載の複数患者のアラーム情報表示方法。
【請求項５】
患者名を含むアラーム情報を表示する装置であって、
複数の患者の生体情報を検出する生体情報検出手段と、
前記検出された生体情報からその異常状態を検知してアラーム情報を発生させるアラーム情報発生手段と、
前記アラーム情報を順次リアルタイムで記憶保持する情報保存手段と、
前記記憶保持されたアラーム情報を患者名に関わりなくリアルタイムで時系列履歴データとして表示する情報表示手段とを備えたことを特徴とする複数患者のアラーム情報表示装置。
【請求項６】
前記情報保存手段は、さらに、前記記憶保持されるアラーム情報に対応する生体情報を順次リアルタイムで記憶保持するように構成され、
前記情報表示手段は、前記表示されるアラーム情報に加えて、それに対応する前記記憶保持されている生体情報も表示するように構成されことを特徴とする請求項５記載の複数患者のアラーム情報表示装置。
【請求項７】
患者名を選択する患者名選択手段をさらに有し、前記情報表示手段は、前記患者名選択手段で選択された患者名のアラーム情報のみを表示するように構成されることを特徴とする請求項５または６記載の複数患者のアラーム情報表示装置。
【請求項８】
前記情報保存手段に記憶保持されているアラーム情報は、そのプライオリティ（重要度）の情報を含み、
前記アラーム情報のプライオリティを選択するプライオリティ選択手段をさらに備え、
前記情報表示手段は、前記プライオリティ選択手段で選択されたプライオリティのアラーム情報のみを表示するように構成されることを特徴とする請求項５ないし７のいずれかに記載の複数患者のアラーム情報表示装置。
【発明の詳細な説明】
【技術分野】
【０００１】
本発明は、病院等で複数の患者の状態を監視する場合において、アラーム情報を時系列の履歴データとして表示するようにした、複数患者のアラーム情報を表示する方法および装置に関するものである。
【背景技術】
【０００２】
従来、生体情報モニタ等の患者監視装置により得られる複数の患者のアラーム情報は、担当医師等が、セントラルモニタに現在表示されているデータを参照することにより、あるいは患者個人毎のアラーム履歴データをそれぞれ参照することにより、判断している。
【０００３】
そこで、例えば、アラーム情報を報知すると共に、発生した計測値アラーム、不整脈アラーム等を時間と共に記憶して、必要に応じて画面にリスト表示することにより、医師等の負担を軽減し得る患者監視装置が提案されている（特許文献１参照）。
すなわち、この特許文献１に記載の患者監視装置は、(1) 患者の生体信号を患者個々に検出する生体情報入力部と、(2) 前記生体情報入力部からの前記生体信号が予め設定した監視項目の生体異常を示すときにアラームとして検出するアラーム検出手段と、(3) 前記アラーム検出時に該アラームを報知する報知手段と、(4) 前記アラーム検出の度に該アラームの発生日時およびアラーム名を対応付けてアラーム情報として記憶する記憶手段と、(5) 任意のタイミングで前記記憶手段から前記アラーム情報を読み出して画面にリスト表示する表示手段とを有する構成からなる。
【０００４】
このように構成された、前記特許文献１に記載される患者監視装置には、個々の患者について、アラーム検出の度にアラームの発生日時およびアラーム名を対応付けてアラーム情報として記憶し、任意のタイミングで記憶手段から読み出したアラーム情報を画面にリスト表示することで、患者監視装置から離れても、アラームとして検出および報知される全てのアラーム情報を後刻知ることができるため、医師等の負担を軽減できることが開示されている。
【０００５】
【特許文献１】特許第２７１６０２０号公報
【発明の開示】
【発明が解決しようとする課題】
【０００６】
しかるに、複数の患者に対して担当医師等がアラーム情報のチェックを行う場合、個々の患者についてのアラーム情報を画面表示するように構成した前記特許文献１に記載される患者監視装置においては、重要なアラームが発生した患者を見逃さないようにするために、全ての患者のアラーム情報を患者毎に表示して確認する必要がある。しかし、患者毎に画面を開いて見るまで、アラームが発生していたかどうかも含めて、どのようなアラームかは不明であり、確認に非常に手間が掛かる。また、刻々とアラームは更新されていくため、確認済みの患者も再度確認する必要があるなど、あまり現実的なアラームの確認方法ではない。従って、このようなアラームの確認方法では、重要なアラームが発生したことを見落とし易い難点がある。
【０００７】
本発明の目的は、複数患者の最新のアラーム情報の確認並びに重要なアラームの発生の確認を、見落とすことなく迅速かつ確実に行うことができるようにした、複数患者のアラーム情報表示方法および装置を提供することにある。
【課題を解決するための手段】
【０００８】
前記の目的を達成するため、本発明の請求項１に記載の複数患者のアラーム情報表示方法は、患者名を含むアラーム情報を表示する方法であって、
複数の患者の生体情報を収集し、収集された生体情報からその異常状態を検知して得られるアラーム情報を、順次リアルタイムで記憶保持し、
この記憶保持されたアラーム情報を、患者名に関わりなくリアルタイムで時系列的に表示することを特徴とする。
【０００９】
本発明の請求項２に記載の複数患者のアラーム情報表示方法は、さらに、前記アラーム情報に対応する生体情報を順次リアルタイムで記憶保持し、前記アラーム情報の表示において、前記表示されるアラーム情報に加えて、それに対応する前記記憶保持されている生体情報も表示することを特徴とする。
【００１０】
本発明の請求項３に記載の複数患者のアラーム情報表示方法は、前記アラーム情報の表示において、患者名を選択し、この選択された患者名のアラーム情報のみを表示することを特徴とする。
【００１１】
本発明の請求項４に記載の複数患者のアラーム情報表示方法は、前記記憶保持されているアラーム情報が、そのプライオリティ（重要度）の情報を含み、前記アラーム情報の表示において、前記プライオリティを選択し、この選択されたプライオリティのアラーム情報のみを表示することを特徴とする。
【００１２】
また、本発明の請求項５に記載の複数患者のアラーム情報表示装置は、患者名を含むアラーム情報を表示する装置であって、
複数の患者の生体情報を検出する生体情報検出手段と、
前記検出された生体情報からその異常状態を検知してアラーム情報を発生させるアラーム情報発生手段と、
前記アラーム情報を順次リアルタイムで記憶保持する情報保存手段と、
前記記憶保持されたアラーム情報を患者名に関わりなくリアルタイムで時系列履歴データとして表示する情報表示手段とを備えたことを特徴とする。
【００１３】
本発明の請求項６に記載の複数患者のアラーム情報表示装置は、前記情報保存手段が、さらに、前記記憶保持されるアラーム情報に対応する生体情報を順次リアルタイムで記憶保持するように構成され、
前記情報表示手段は、前記表示されるアラーム情報と共にそれに対応する前記記憶保持されている生体情報を同時に表示するように構成されていることを特徴とする。
【００１４】
本発明の請求項７に記載の複数患者のアラーム情報表示装置は、患者名を選択することができる患者名選択手段をさらに有し、前記情報表示手段は、前記患者名選択手段で選択された患者名のアラーム情報のみを表示するように構成されていることを特徴とする。
【００１５】
本発明の請求項８に記載の複数患者のアラーム情報表示装置は、前記情報保存手段に記憶保持されているアラーム情報が、そのプライオリティ（重要度）の情報を含み、オペレータが前記アラーム情報のプライオリティを選択することができるプライオリティ選択手段をさらに備え、前記情報表示手段は、前記プライオリティ選択手段で選択されたプライオリティのアラーム情報のみを表示するように構成されていることを特徴とする。
【発明の効果】
【００１６】
本発明の請求項１および５に記載の複数患者のアラーム情報表示方法および装置によれば、複数の患者のアラーム情報を患者名に関わりなくリアルタイムで時系列的に表示することができ、これにより複数患者の最新のアラーム情報の確認並びに重要なアラームの発生の確認を、見落とすことなく、迅速かつ確実に行うことができる。
【００１７】
本発明の請求項２および請求項６に記載の複数患者のアラーム情報表示方法および装置によれば、前記複数の患者のアラーム情報をリアルタイムで時系列的に表示するに際して、前記アラーム情報に対応する生体情報も表示するので、複数患者の最新のより詳細なアラーム情報の確認並びに重要なアラームの発生の確認を、見落とすことなく、迅速かつ確実に行うことができる。
【００１８】
本発明の請求項３、４および請求項７、８に記載の複数患者のアラーム情報表示方法および装置によれば、前記複数患者のアラーム情報をリアルタイムで時系列的に表示する際に、患者名またはアラームのプライオリティ（重要度）で絞って表示することができるので、複数患者の最新のアラーム情報の確認並びに重要なアラームの発生の確認を、見落とすことなく、より迅速かつより確実に行うことができる。
【発明を実施するための最良の形態】
【００１９】
次に、本発明に係る複数患者のアラーム情報表示方法および装置（以下、「本発明方法」、「本発明装置」と記す）の実施例につき、添付図面を参照しながら、以下詳細に説明する。
【００２０】
図１は、本発明方法を実施する装置の一実施例を示す概略ブロック系統図を示すものである。図１において、参照符号１０Ａ、１０Ｂ、１０Ｃは、それぞれ複数の患者毎の等のベッドサイドにおいて、心電図や脈波等の生体信号を測定する電極ないしはプローブ等のセンサ等からなる生体信号検出器（生体情報検出手段）により検出測定される生体情報およびこれらの生体情報の異常状態を検知して得られるアラーム情報を表示するための、個々のモニタないしはセントラルモニタからなる生体情報モニタ（アラーム情報発生手段）を示す。
【００２１】
参照符号１２Ａおよび１２Ｂは、人工呼吸器および輸液ポンプ等の生命維持装置を示す。これらの生命維持装置１２Ａ、１２Ｂにおいても、それぞれ患者に対する各装置の作動情報を監視して、予め設定した異常状態を検出した際に、適宜アラーム情報を発生するように構成される。
参照符号１４は情報端末装置を示し、例えば複数の無線送信機１３ａ、１３ｂ、１３ｃによって送信される、それぞれ所要の生体信号検出器（生体情報検出手段）により検出測定される患者の生体信号や生命維持装置の作動状態を示す作動信号を受信して、複数の患者の生体情報や生命維持装置の作動情報を集中監視するための集中型受信機（アラーム情報発生手段）により構成される。従って、この情報端末装置１４においても、複数の患者の生体情報や生命維持装置の作動情報を監視して、予め設定した異常状態を検出した際に、適宜アラーム情報を発生するように構成されている。
【００２２】
前記生体情報モニタ１０Ａ、１０Ｂ、１０Ｃ、生命維持装置１２Ａ、１２Ｂおよび情報端末装置１４は、例えばサーバーを介して構築されるコンピュータネットワークにより、従来より公知の生体情報モニタシステムとして構築されている。
【００２３】
本発明の実施例においては、病棟やＩＣＵ（集中治療室）、手術室等に設置してある、前記生体情報モニタ１０Ａ、１０Ｂ、１０Ｃ、生命維持装置１２Ａ、１２Ｂおよび情報端末装置１４からの前記アラーム情報と、このアラーム情報に対応する前記生体情報および前記作動情報とを、順次リアルタイムで自動更新しながら患者毎に記憶保持するように構成されたアラーム情報履歴保存手段２０（情報保存手段）と、前記記憶保持された、アラーム情報、生体情報および作動情報に基づいて、リアルタイムで更新された複数患者のアラーム情報を時系列履歴データとして表示し、さらに必要に応じて前記アラーム情報に対応した生体情報および作動情報を、前記アラーム情報と同時に表示することができるように設定されたアラーム情報履歴表示手段３０（情報表示手段）とを、前記生体情報モニタシステムに設けてある。
【００２４】
前記アラーム情報履歴保存手段２０は、前記生体情報モニタシステムに直接接続されるＬＡＮボード２２と、ＣＰＵ２４と、ハードディスク等からなる記憶保持媒体２６とから構成され、複数患者のアラーム情報およびそれに対応する生体情報や作動情報は、前記記憶保持媒体２６に記憶保持される。
前記アラーム情報履歴表示手段３０は、前記生体情報モニタシステムに直接接続されるＬＡＮボード３２と、ＣＰＵ３４と、ディスプレイ装置３６とから構成され、図示しないキーボードやマウス等を備えた操作部でオペレータが指示することにより、前記ディスプレイ装置３６に、前記複数患者のアラーム情報時系列履歴データなどが表示される。
【００２５】
次に、前記構成からなる生体情報モニタシステムにおける、本発明装置の操作方法およびより詳細な構成について説明する。
【００２６】
本発明装置は、クリティカルな情報を表示する装置であるため、予め登録されたユーザーのみが、データを参照できるようになっている。図２は、本発明装置の操作を可能とするため、前記アラーム情報履歴表示手段３０において、オペレータすなわちユーザー（医師、看護師等）を予め登録する際のユーザー登録画面の表示例４１を示すものである。この表示例４１には、「Ｕser ＩＤ」、「Ｐassword 」、「ユーザー名」の入力項目が設けられており、オペレータはそれぞれの項目を、図示しない操作部から入力することにより、ユーザー登録することができる。
【００２７】
次に、前述のようにしてユーザー登録したオペレータが、本発明装置を使用して、複数患者のアラーム情報を時系列履歴データとして表示する方法について説明する。
オペレータが操作を開始すると、ディスプレイ装置３６にユーザーを認証するためのログイン画面が表示される。図３は、ログイン画面の表示例５１を示すものである。前述したユーザー登録画面の表示例４１の、「Ｕser ＩＤ」および「Ｐassword 」に対応する、「ユーザーＩＤ」および「パスワード」の入力項目が設けられている。オペレータが、これらを入力することによりユーザー認証が行われ、正しく認証されると、オペレータは本発明装置にログインすることができる。
【００２８】
ユーザーは、それぞれ担当している患者が異なることがあり、その場合は、ユーザー毎にアラーム情報を表示する患者を選択する必要がある。この設定は、ユーザー認証後に行うことができ、図４にその設定画面が示されている。図４は、患者を選択指定するための患者選択画面の表示例４２であり、チェックボックスで患者名を選択することにより、そのオペレータ（ユーザー）がアラーム情報を表示できる患者を選択することができるようになっている。全ての患者を選択することによって、患者全員のアラーム情報を表示することもできる。
【００２９】
前記患者選択画面の表示例４２により患者を選択すると、選択された患者のアラーム情報時系列履歴データが表示される。図５は、画面表示される複数患者のアラーム情報時系列履歴データの典型的な表示例６１Ａを示すものであり、最上段に最新のアラーム情報が表示されている。この表示例６１Ａでは、「アラーム発生年月日」、「アラーム発生時刻」、「患者の所在地（ベッド番号、病棟等）」、「患者氏名」、「アラームの内容」等のアラーム情報が、時系列的に一覧表示される。この一覧には、前記患者選択画面の表示例４２でオペレータが選択した患者のアラーム情報のみが表示されている。
【００３０】
図６は、ディスプレイ装置３６に表示される複数患者のアラーム情報時系列履歴データの別の表示例６１Ｂを示すものである。この表示例６１Ｂには、図５に示した表示例６１Ａに表示されている複数患者のアラーム情報時系列履歴データに加えて、表示されているアラーム情報に対応するバイタルサインや波形情報等の生体情報が一覧表示されている。
図６においては、下半分にアラーム情報が、最上段を最新として時系列で表示され、上半分に前記アラーム情報に対応する生体情報が、左端を最新として時系列で表示されるように設定されている。
この表示例６１Ｂによれば、オペレータが、表示されている生体情報を参照して、アラーム情報が正しいものであるか否かの確認や、アラーム情報の重要度の程度をより詳細に確認することができる。
【００３１】
前記複数患者のアラーム情報時系列履歴データの表示例６１Ａ、６１Ｂは、新しく表示すべきアラームが発生した時には、自動的に順次更新されて画面表示されるようになっている。
前記表示例６１Ａ、６１Ｂの表示の切り替えは、例えば、表示例６１Ａ、６１Ｂのそれぞれに他方の画面に切り替えるための切り替えボタンを設けておき、マウスでそれをクリックすることにより、他方の画面に切り替わるように設定することができる。
なお、前記表示例６１Ａ、６１Ｂに表示されている情報は、いずれも生体情報に基づく情報であるが、生命維持装置１２Ａ、１２Ｂ等の作動情報に基づいてアラーム情報が発生した場合、それも時系列履歴データとして表示されることは勿論である。
【００３２】
本実施例ではまた、特定のアラームに着目して、アラーム情報と、より詳しい生体情報とを表示させることができる。前述した図５および図６に示す複数患者のアラーム情報時系列履歴データの表示例６１Ａ、６１Ｂにおいて、詳細表示したいアラームをマウス等で選択指定すると、アラーム情報と詳細な生体情報とが画面表示される。図７は、図５に示される表示例６１Ａにおいて、最新（最上段）のアラーム情報を選択指定した場合の表示例６２であり、前記選択指定したアラーム情報と、それに対応したバイタルサインや波形情報等からなる詳細な生体情報が示されている。
この表示例６２は、オペレータが、前記表示例６１Ａ、６１Ｂで複数患者のアラーム情報の概要を確認し、注目した特定のアラーム情報を詳細に確認する時などに役に立つ。
【００３３】
本実施例ではさらに、オペレータの選択により、オペレータが必要とするアラーム情報時系列履歴データのみを表示できるように設定することができる。
図５および図６に示す複数患者のアラーム情報時系列履歴データの表示例６１Ａ、６１Ｂにおいて、オペレータの選択により、必要とする種類のアラーム情報のみを表示できるようにすることができる。図８は、オペレータが、確認したいアラーム情報の種類を選択するためのアラーム情報種類選択画面の表示例５２を示すものである。この表示例５２には、例えば「ＨＲ」（心拍）、「ＳｐＯ2 」（動脈血酸素飽和度）、「Ｒesp 」（呼吸）、「ＮＩＢＰ」（非観血血圧）等のアラームや、「ＶＰＣ  ＲＵＮ」（心室性期外収縮）、「ＶＴ」（心室頻拍）、「Ｓhort run」（連発性心室性期外収縮）、「ＡＶ  Ｂlock」（房室ブロック）等の異常状態の項目、およびアラーム情報の全ての種類を選択するための「すべて」の項目が、それぞれチェック欄と共に設定されている。オペレータは、確認したいアラーム情報の種類を選択することにより、選択された種類のアラーム情報についての複数患者のアラーム情報時系列履歴データを、図５および図６に示した表示例６１Ａ、６１Ｂと同様な形態で表示させることができる。
【００３４】
また、図５および図６に示す複数患者のアラーム情報時系列履歴データの表示例６１Ａ、６１Ｂにおいて、オペレータの選択により、必要とするプライオリティ（重要度）のアラーム情報のみを表示できるようにすることができる。前記プライオリティは、前記生体情報モニタ１０Ａ、１０Ｂ、１０Ｃ等が患者の生体情報から異常状態を検出した際に、あるいは前記生命維持装置１２Ａ、１２Ｂ等が、それらの作動情報から異常状態を検出した際に、その異常状態の種類の重篤度、緊急度に基づいてアラーム情報に付加されるようになっている。図９は、オペレータが、アラーム情報に付加されているプライオリティを選択するためのアラーム情報プライオリティ選択画面の表示例５３を示すものである。この表示例５３には、「最重要」、「高」、「中」、「低」等のプライオリティが、それぞれチェック欄と共に設定されている。オペレータは、アラーム情報の所望のプライオリティを選択することにより、選択されたプライオリティのアラーム情報に関する複数患者のアラーム情報時系列履歴データのみを、図５および図６に示す表示例６１Ａ、６１Ｂと同様な形態で表示させることができる。
【００３５】
さらに、図５および図６に示す複数患者のアラーム情報時系列履歴データの表示例６１Ａ、６１Ｂにおいて、オペレータの選択により、アラームが発生した時間範囲を選択して、その範囲内のアラーム情報のみを表示できるようにすることができる。図１０は、最新のアラーム情報の発生時刻から過去に遡る時間を、予め設定した複数の時間幅から選択するための表示時間設定画面の表示例５４を示すものである。この表示例５４には、アラーム情報を表示する時間幅として、「すべて」、最新から「８時間」、最新から「１時間」、最新から「３０分」が設定されている。
【００３６】
オペレータが表示したいアラーム情報の時間幅を選択すると、最新のアラーム情報から選択された時間だけ遡った時間分のアラーム情報が表示される。図１１は、前述した図１０に示す表示時間設定画面の表示例５４において選択された時間内に発生した複数患者のアラーム情報時系列履歴データの表示例６６を示すものである。この表示例６６では、図１０で１時間が選択されているため、図５に示す複数患者のアラーム情報時系列履歴データの表示例６１Ａに対して、９時５４分以降のアラーム情報が表示されている。
なお、前記時間範囲は、オペレータが操作する時点から遡る時間範囲としてもよい。
【００３７】
前述のアラーム情報の種類、プライオリティ、およびアラームが発生した時間範囲を選択した場合、図４に示されている患者選択画面の表示例４２で選択された患者のアラーム情報の中から選択して表示される。
このように、必要とするアラーム情報のみを表示させることにより、オペレータはより迅速にアラーム情報を確認することができる。
【００３８】
次に、オペレータにアラーム情報をより確実に把握させるために、ディスプレイ装置３６に画面表示されるアラーム情報をカラー色別表示した表示例について説明する。
図１２は、前述した図５および図６に示す複数患者のアラーム情報時系列履歴データの表示例６１Ａ、６１Ｂに対し、アラーム情報のアラームの内容について、プライオリティ（重要度）別にカラー色別表示した表示例６３を示すものである。プライオリティは、図９の説明において述べたように、アラームの異常状態の種類に基づいてアラーム情報に付加されるようになっている。この表示例６３では、プライオリティが「最重要」および「高」の場合は、アラームの内容を赤色で表示し、「中」の場合は青色で表示し、そして「低」の場合は黒色で表示するように予め設定されており、プライオリティの高いアラーム情報が一目で識別できるように表示される。
【００３９】
また、図１３は、前述した図５および図６に示す複数患者のアラーム情報時系列履歴データの表示例６１Ａ、６１Ｂに対し、患者の所在地別にカラー色別表示した表示例６４を示すものである。この表示例６４では、ＩＣＵの患者を赤色で表示し、Ｅ０５病棟の患者は青色、Ｅ０３病棟の患者は緑色で表示するように予め設定されている。
【００４０】
その他、疾病のグループ別にカラー色別表示をするように、予め設定してもよい。
また、前述した図１２および図１３の複数患者のアラーム情報時系列履歴データの表示例６３、６４のカラー色別表示は、前述のカラーに限定されず、適宜のカラーを設定することができる。
【００４１】
次に、確認済みと未確認のアラーム情報が明確に区別できるようにした表示例について説明する。
前述の説明では、オペレータが自分の担当する患者を、図４に示される患者選択画面の表示例４２で選択したが、一人の患者を担当するのは１ユーザーに限らず、同じ患者を複数のユーザーで担当する場合がある。この場合、ある患者のアラーム情報が誰にも確認されていないにも拘らず、オペレータの誰もが他のユーザーが確認したものと勘違いし、アラーム情報の確認漏れが生じる、という事態を極力防がなければならない。
【００４２】
図１４は、前述した図５および図６に示す複数患者のアラーム情報時系列履歴データの表示例６１Ａ、６１Ｂに対し、オペレータのアラーム情報に対する確認を確実に行うため、確認したことを記録する確認情報を付加した複数患者のアラーム情報時系列履歴データの表示例６５を示すものである。図１４に示す表示例６５は、オペレータが確認したアラーム情報について反転表示するように設定したものである。
【００４３】
本発明装置は、複数のオペレータがそれぞれ別のアラーム情報履歴表示手段３０を使用して離れた場所でアクセスすることができるが、前述のように、確認したアラーム情報が一目で分かるようにすることで、アラーム情報が未確認となってしまう状態を有効に回避することができる。
【００４４】
以上、本発明の好適な実施例について説明したが、本発明は前記実施例に限定されることなく、例えばアラーム情報履歴保存手段およびアラーム情報履歴表示手段として、前述したＬＡＮボードとＣＰＵの組み合わせのみならず、公知の種々のシステム構成を採用することができるばかりでなく、その他本発明の精神を逸脱しない範囲内において、多くの設計変更が可能である。
【図面の簡単な説明】
【００４５】
【図１】本発明方法を実施する装置の一実施例を示す概略ブロック系統図である。
【図２】本発明方法および装置におけるユーザー登録画面の表示例を示す説明図である。
【図３】本発明方法および装置におけるログイン画面の表示例を示す説明図である。
【図４】本発明方法および装置における患者選択画面の表示例を示す説明図である。
【図５】本発明方法および装置における複数患者のアラーム情報の時系列履歴データの第１の表示例を示す説明図である。
【図６】本発明方法および装置における複数患者のアラーム情報の時系列履歴データの第２の表示例を示す説明図である。
【図７】本発明方法および装置における指定されたアラーム情報に対応した詳細な生体情報の表示例を示す説明図である。
【図８】本発明方法および装置における複数患者のアラーム情報の種類選択画面の表示例を示す説明図である。
【図９】本発明方法および装置における複数患者のアラーム情報に付加されているプライオリティ選択画面の表示例を示す説明図である。
【図１０】本発明方法および装置におけるアラーム情報の履歴を表示する時間の設定を行う表示時間設定画面の表示例を示す説明図である。
【図１１】本発明方法および装置における表示時間の設定された複数患者のアラーム情報時系列履歴データの表示例を示す説明図である。
【図１２】本発明方法および装置におけるアラーム情報に付加されているプライオリティ別にカラー色別表示する複数患者のアラーム情報時系列履歴データの表示例を示す説明図である。
【図１３】本発明方法および装置における患者所在地別にカラー色別表示した複数患者のアラーム情報時系列履歴データの表示例を示す説明図である。
【図１４】本発明方法および装置における確認情報を付加した複数患者のアラーム情報時系列履歴データの表示例を示す説明図である。
【符号の説明】
【００４６】
１０Ａ、１０Ｂ、１０Ｃ  生体情報モニタ
１２Ａ  人工呼吸器（生命維持装置）
１２Ｂ  輸液ポンプ（生命維持装置）
１３ａ、１３ｂ、１３ｃ  無線送信機
１４  情報端末装置（集中型受信機）
２０  アラーム情報履歴保存手段
２２  ＬＡＮボード
２４  ＣＰＵ
２６  記録保持媒体（ハードディスク）
３０  アラーム情報履歴表示手段
３２  ＬＡＮボード
３４  ＣＰＵ
３６  ディスプレイ装置
４１  ユーザー登録画面の表示例
４２  患者選択画面の表示例
５１  ログイン画面の表示例
５２  アラーム情報種類選択画面の表示例
５３  プライオリティ選択画面の表示例
５４  アラーム情報表示時間設定画面の表示例
６１Ａ  複数患者のアラーム情報時系列履歴データの表示例
６１Ｂ  生体情報と同時表示される複数患者のアラーム情報時系列履歴データの表示例
６２  指定されたアラーム情報とそれに対応した詳細な生体情報とを同時に表示した時の表示例
６３  プライオリティ別にカラー色別表示した複数患者のアラーム情報時系列履歴データの表示例
６４  患者所在地別にカラー色別表示した複数患者のアラーム情報時系列履歴データの表示例
６５  確認情報を付加した複数患者のアラーム情報時系列履歴データの表示例
６６  設定した表示時間内に発生した複数患者のアラーム情報時系列履歴データの表示例
【図１】
2006180979.tif 000003
【図２】
2006180979.tif 000004
【図３】
2006180979.tif 000005
【図４】
2006180979.tif 000006
【図５】
2006180979.tif 000007
【図６】
2006180979.tif 000008
【図７】
2006180979.tif 000009
【図８】
2006180979.tif 000010
【図９】
2006180979.tif 000011
【図１０】
2006180979.tif 000012
【図１１】
2006180979.tif 000013
【図１２】
2006180979.tif 000014
【図１３】
2006180979.tif 000015
【図１４】
2006180979.tif 000016